(57)【要約】【課題】開閉体の屋外側において浸水を抑制することができる防水装置の設置方法を提供する。【解決手段】構造物１０の開口部２２を閉塞し、かつ床面２１と、開口部を開閉する開閉体７の屋外側とを一体に覆うように防水シート１０を構造物に対して設置するシート設置手順と、防水シートにおける床面を覆う部分１０ｄに複数の押圧部材４を載置する載置手順とを含む。載置手順において、複数の押圧部材を開口部に対して幅方向の一端から他端まで載置するようにしてもよい。【選択図】図２９
2015034448.tif 000002
【特許請求の範囲】
【請求項１】
構造物の開口部を閉塞し、かつ床面と、前記開口部を開閉する開閉体の屋外側とを一体に覆うように防水シートを前記構造物に対して設置するシート設置手順と、
前記防水シートにおける前記床面を覆う部分に複数の押圧部材を載置する載置手順と
を含むことを特徴とする防水装置の設置方法。
【請求項２】
前記載置手順において、複数の前記押圧部材を前記開口部に対して幅方向の一端から他端まで載置する
請求項１に記載の防水装置の設置方法。
【請求項３】
前記載置手順において、複数の前記押圧部材を前記開口部の幅方向に沿って連続的に載置する
請求項１または２に記載の防水装置の設置方法。
【請求項４】
前記載置手順は、前記開口部を挟んで前記開口部の幅方向において互いに対向する一対の壁面の間に複数の前記押圧部材を載置するものであり、
前記開口部の幅方向に沿って前記一対の壁面の一方の壁面から他方の壁面に向かう前記押圧部材の第一の列を形成する手順と、
当該幅方向に沿って前記他方の壁面から前記第一の列に向かう前記押圧部材の第二の列を形成する手順と、
前記第一の列および前記第二の列と平行に前記押圧部材を載置して前記第一の列の先端と前記第二の列の先端との隙間を塞ぐ手順と
を含む、請求項１から３のいずれか１項に記載の防水装置の設置方法。
【請求項５】
前記載置手順において、前記押圧部材を前記防水シートにおける前記開口部の幅方向の端部から前記床面の上に突出させて載置する
請求項１から３のいずれか１項に記載の防水装置の設置方法。
【請求項６】
前記載置手順において、前記防水シートにおける前記床面側の面に設けられた弾性変形するシート状の部材を前記床面に向けて押圧する位置に前記押圧部材を載置する
請求項１から５のいずれか１項に記載の防水装置の設置方法。
【請求項７】
更に、前記載置手順の前に実行され、前記防水シートによって前記開閉体を覆ったときに生じる前記防水シートの余剰部分を折り重ねた状態で保持する余剰部保持手順を含む
請求項１から６のいずれか１項に記載の防水装置の設置方法。
【請求項８】
前記余剰部保持手順において、前記防水シートに予め設けられたつまみ部を持ちながら前記つまみ部が設けられた部分を山折りとして前記防水シートを折り重ねる
請求項７に記載の防水装置の設置方法。
【請求項９】
更に、前記防水シートにおける前記床面を覆う部分の端部を折り畳む端部折り畳み手順を含む
請求項１から８のいずれか１項に記載の防水装置の設置方法。
【請求項１０】
前記端部折り畳み手順において、前記防水シートに設けられた弾性変形するシート状の部材を前記床面と直接対向させるように前記端部を折り畳む
請求項９に記載の防水装置の設置方法。
【請求項１１】
更に、水圧に抗して前記開閉体を支持する補強部材を前記開閉体に対して屋内側に設置する補強手順を含む
請求項１から１０のいずれか１項に記載の防水装置の設置方法。
【請求項１２】
更に、前記補強手順よりも前に実行され、前記補強部材を前記床面に対して固定するための部材を予め前記床面側に設置する手順を含む
請求項１１に記載の防水装置の設置方法。
【発明の詳細な説明】
【技術分野】
【０００１】
本発明は、防水装置の設置方法に関する。
【背景技術】
【０００２】
従来、開閉体によって開閉される開口部からの浸水を抑制する技術が提案されている。例えば、特許文献１には、シャッタの裏面には屈曲自在な防水シートが設けられていると共に、防水シートと対向するようにしてガイド部材にはシール部材が設けられ、シャッタに浸水しようとする氾濫水等の水圧がシャッタの表面に作用すると、防水シートがシール材に圧接されるようになっている、浸水防止機能を備えたシャッタ装置の技術が開示されている。
【先行技術文献】
【特許文献】
【０００３】
【特許文献１】特許第４４５９７４０号公報
【発明の概要】
【発明が解決しようとする課題】
【０００４】
開口部からの浸水を抑制することについて、なお改良の余地がある。例えば、開閉体の屋外側において浸水を抑制できることが望まれている。
【０００５】
本発明の目的は、開閉体の屋外側において浸水を抑制することができる防水装置の設置方法を提供することである。
【課題を解決するための手段】
【０００６】
本発明の防水装置の設置方法は、構造物の開口部を閉塞し、かつ床面と、前記開口部を開閉する開閉体の屋外側とを一体に覆うように防水シートを前記構造物に対して設置するシート設置手順と、前記防水シートにおける前記床面を覆う部分に複数の押圧部材を載置する載置手順とを含むことを特徴とする。
【０００７】
上記防水装置の設置方法によれば、開閉体の屋外側において浸水を抑制することができる。
【０００８】
上記防水装置の設置方法において、前記載置手順において、複数の前記押圧部材を前記開口部に対して幅方向の一端から他端まで載置することが好ましい。
【０００９】
上記防水装置の設置方法では、防水シートと床面との間からの浸水が抑制される。
【００１０】
上記防水装置の設置方法において、前記載置手順において、複数の前記押圧部材を前記開口部の幅方向に沿って連続的に載置することが好ましい。
【００１１】
上記防水装置の設置方法では、防水シートと床面との間からの浸水が抑制される。
【００１２】
上記防水装置の設置方法において、前記載置手順は、前記開口部を挟んで前記開口部の幅方向において互いに対向する一対の壁面の間に複数の前記押圧部材を載置するものであり、前記開口部の幅方向に沿って前記一対の壁面の一方の壁面から他方の壁面に向かう前記押圧部材の第一の列を形成する手順と、当該幅方向に沿って前記他方の壁面から前記第一の列に向かう前記押圧部材の第二の列を形成する手順と、前記第一の列および前記第二の列と平行に前記押圧部材を載置して前記第一の列の先端と前記第二の列の先端との隙間を塞ぐ手順とを含むことが好ましい。
【００１３】
上記防水装置の設置方法では、防水シートと床面との間からの浸水が抑制される。
【００１４】
上記防水装置の設置方法において、前記載置手順において、前記押圧部材を前記防水シートにおける前記開口部の幅方向の端部から前記床面の上に突出させて載置することが好ましい。
【００１５】
上記防水装置の設置方法では、防水シートの端部の浮き上がりが抑制される。
【００１６】
上記防水装置の設置方法において、前記載置手順において、前記防水シートにおける前記床面側の面に設けられた弾性変形するシート状の部材を前記床面に向けて押圧する位置に前記押圧部材を載置することが好ましい。
【００１７】
上記防水装置の設置方法では、防水シートと床面との間からの浸水が抑制される。
【００１８】
上記防水装置の設置方法において、更に、前記載置手順の前に実行され、前記防水シートによって前記開閉体を覆ったときに生じる前記防水シートの余剰部分を折り重ねた状態で保持する余剰部保持手順を含むことが好ましい。
【００１９】
上記防水装置の設置方法では、防水シートのたるみやシワが抑制される。
【００２０】
上記防水装置の設置方法において、前記余剰部保持手順において、前記防水シートに予め設けられたつまみ部を持ちながら前記つまみ部が設けられた部分を山折りとして前記防水シートを折り重ねることが好ましい。
【００２１】
上記防水装置の設置方法では、つまみ部を持ちながら作業することができ、作業性が向上する。
【００２２】
上記防水装置の設置方法において、更に、前記防水シートにおける前記床面を覆う部分の端部を折り畳む端部折り畳み手順を含むことが好ましい。
【００２３】
上記防水装置の設置方法では、防水シートと床面との間からの浸水が抑制される。
【００２４】
上記防水装置の設置方法において、前記端部折り畳み手順において、前記防水シートに設けられた弾性変形するシート状の部材を前記床面と直接対向させるように前記端部を折り畳むことが好ましい。
【００２５】
上記防水装置の設置方法では、防水シートと床面との間からの浸水が抑制される。
【００２６】
上記防水装置の設置方法において、更に、水圧に抗して前記開閉体を支持する補強部材を前記開閉体に対して屋内側に設置する補強手順を含むことが好ましい。
【００２７】
上記防水装置の設置方法では、水圧による開閉体の変形が抑制される。
【００２８】
上記防水装置の設置方法において、更に、前記補強手順よりも前に実行され、前記補強部材を前記床面に対して固定するための部材を予め前記床面側に設置する手順を含むことが好ましい。
【００２９】
上記防水装置の設置方法では、防水装置の設置作業に要する工数が低減される。
【発明の効果】
【００３０】
本発明に係る防水装置の設置方法は、構造物の開口部を閉塞し、かつ床面と、開口部を開閉する開閉体の屋外側とを一体に覆うように防水シートを構造物に対して設置するシート設置手順と、防水シートにおける床面を覆う部分に複数の押圧部材を載置する載置手順とを含む。本発明に係る防水装置の設置方法によれば、開閉体の屋外側において浸水を抑制することができるという効果を奏する。
【図面の簡単な説明】
【００３１】
【図１】図１は、第１実施形態に係る防水装置の確認手順を示す図である。
【図２】図２は、第１実施形態に係る防水シートを示す平面図である。
【図３】図３は、塞ぎねじの取り外し手順を示す図である。
【図４】図４は、補強部材の固定手順を示す図である。
【図５】図５は、補強部材のセット手順を示す図である。
【図６】図６は、開口部閉鎖手順を示す図である。
【図７】図７は、シートの一端を保持させる手順を示す図である。
【図８】図８は、防水シートが保持された状態を示す断面図である。
【図９】図９は、仮固定手順を示す図である。
【図１０】図１０は、シートの他端を保持させる手順を示す図である。
【図１１】図１１は、余剰部分の説明図である。
【図１２】図１２は、余剰部保持手順を示す図である。
【図１３】図１３は、余剰部保持手順を示す他の図である。
【図１４】図１４は、余剰部保持手順が実行された後の状態を示す図である。
【図１５】図１５は、調整手順の説明図である。
【図１６】図１６は、隅部における防水シートの調整がなされる前の図である。
【図１７】図１７は、隅部における防水シートの位置調整の説明図である。
【図１８】図１８は、下部領域における防水シートの調整がなされる前の図である。
【図１９】図１９は、下部領域における防水シートの位置調整の説明図である。
【図２０】図２０は、上部領域における防水シートの調整がなされる前の図である。
【図２１】図２１は、上部領域における防水シートの位置調整の説明図である。
【図２２】図２２は、端部折り畳み手順の説明図である。
【図２３】図２３は、端部折り畳み手順を説明する他の図である。
【図２４】図２４は、第一の列を形成する手順の説明図である。
【図２５】図２５は、第一の列を形成する手順の説明図の要部拡大図である。
【図２６】図２６は、第一の列を形成する手順の説明図の他の要部拡大図である。
【図２７】図２７は、形成された第一の列を示す図である。
【図２８】図２８は、第二の列を形成する手順の説明図である。
【図２９】図２９は、隙間を塞ぐ手順の説明図である。
【図３０】図３０は、押圧部材の好ましい載置方法の説明図である。
【図３１】図３１は、第１実施形態の第１変形例に係る端部折り畳み手順の説明図である。
【図３２】図３２は、第１実施形態の第１変形例に係る端部折り畳み手順を説明する他の図である。
【図３３】図３３は、第２実施形態の載置手順の説明図である。
【図３４】図３４は、第２実施形態の載置手順の説明図の要部拡大図である。
【図３５】図３５は、第２実施形態の載置手順を説明する他の図である。
【図３６】図３６は、第２実施形態の載置手順の終了後を示す図である。
【図３７】図３７は、第３実施形態の雌ねじ部材を設置する手順の説明図である。
【図３８】図３８は、つまみ部を有する防水シートを示す図である。
【発明を実施するための形態】
【００３２】
以下に、本発明の実施形態に係る防水装置の設置方法につき図面を参照しつつ詳細に説明する。なお、この実施形態によりこの発明が限定されるものではない。また、下記の実施形態における構成要素には、当業者が容易に想定できるものあるいは実質的に同一のものが含まれる。
【００３３】
［第１実施形態］
図１から図３０を参照して、第１実施形態について説明する。本実施形態は、防水装置の設置方法に関する。図１は、第１実施形態に係る防水装置の確認手順を示す図、図２は、第１実施形態に係る防水シートを示す平面図、図３は、塞ぎねじの取り外し手順を示す図、図４は、補強部材の固定手順を示す図、図５は、補強部材のセット手順を示す図、図６は、開口部閉鎖手順を示す図、図７は、シートの一端を保持させる手順を示す図、図８は、防水シートが保持された状態を示す断面図、図９は、仮固定手順を示す図、図１０は、シートの他端を保持させる手順を示す図である。
【００３４】
また、図１１は、余剰部分の説明図、図１２は、余剰部保持手順を示す図、図１３は、余剰部保持手順を示す他の図、図１４は、余剰部保持手順が実行された後の状態を示す図、図１５は、調整手順の説明図、図１６は、隅部における防水シートの調整がなされる前の図、図１７は、隅部における防水シートの位置調整の説明図、図１８は、下部領域における防水シートの調整がなされる前の図、図１９は、下部領域における防水シートの位置調整の説明図、図２０は、上部領域における防水シートの調整がなされる前の図、図２１は、上部領域における防水シートの位置調整の説明図、図２２は、端部折り畳み手順の説明図、図２３は、端部折り畳み手順を説明する他の図である。
【００３５】
また、図２４は、第一の列を形成する手順の説明図、図２５は、第一の列を形成する手順の説明図の要部拡大図、図２６は、第一の列を形成する手順の説明図の他の要部拡大図、図２７は、形成された第一の列を示す図、図２８は、第二の列を形成する手順の説明図、図２９は、隙間を塞ぐ手順の説明図、図３０は、押圧部材の好ましい載置方法の説明図である。
【００３６】
図１に示す防水装置１−１は、取付ボルト２と、補強部材３と、押圧部材４と、防水シート１０とを含んで構成されている。取付ボルト２、補強部材３、押圧部材４および防水シート１０は、収納袋１に収納されて倉庫等に保管される。以下に、防水装置１−１の設置方法の一例について説明する。本実施形態の防水シートの設置方法は、防水シート１０を構造物に対して設置する手順（以下、単に「シート設置手順」と称する。）と、複数の押圧部材４を防水シート１０上に載置する手順（以下、単に「載置手順」と称する。）とを含んで構成されている。シート設置手順において、防水シート１０は、床面２１と開閉体７の屋外側とを一体に覆うように設置される。また、載置手順において、床面２１を覆う防水シート１０の上に複数の押圧部材４が載置される。よって、本実施形態に係る防水装置の設置方法によれば、開閉体７の屋外側において浸水を抑制することができる。
【００３７】
（Ａ．確認する手順）
防水装置１−１の設置を開始する前に、防水装置１−１の部品を確認する手順が実行される。ユーザーは、収納袋１に収納された取付ボルト２、補強部材３、押圧部材４および防水シート１０を取り出して、部品が揃っているか、損傷等がないかを確認する。
【００３８】
ここで、防水シート１０の構成について説明する。本実施形態に係る防水シート１０は、図２に示すように、矩形のシートである。本実施形態の防水シート１０は、以下に図１４を参照して説明するように、長手方向の両端部がそれぞれ構造物２０に保持された状態で開口部２２を閉塞する。防水シート１０は、少なくとも開口部２２における下端から上側に向けての所定の範囲を閉塞するように構造物２０に保持される。構造物２０は、一対の壁面２３ａ，２３ｂと、床面２１と、天井面２４とを含んで構成されている。一対の壁面２３ａ，２３ｂは、開口部２２を挟んで開口部２２の幅方向において互いに対向している。なお、本実施形態では、壁面２３ａ，２３ｂを区別せずに単に壁面２３と称することがある。また、床面２１とは、説明上分かりやすくするための便宜上の表現であって、通常の床面のみならず、コンクリート面や地面等の開口部２２の下方に位置する面を意味する。
【００３９】
開口部２２は、構造物２０の屋外側と屋内側とを連通する。なお、屋内側、屋外側とは、説明上分かりやすくするための便宜上の表現であって、屋外側とは、水が浸入する場合の上流側のことであり、屋内側とは、上流側から水が浸入してくる可能性がある側であり、本明細書においては水が浸入してくるのを阻止や抑制したい側のことである。言い換えると、屋内側とは、水が浸入する場合の開口部２２よりも下流側のことである。防水装置１−１を開閉扉や壁等とともに、例えば単なる道路の防水用仕切りとして使用したり、外部空間における門等の箇所に取り付ける等のように、家屋や部屋等の概念がない箇所に設けてもよい。図１４には、屋外側から見た開口部２２が示されている。本実施形態の開口部２２は、一対の壁面２３ａ，２３ｂと、床面２１と、天井面２４とによって囲まれた矩形形状のものである。開閉体７は、開口部２２を開閉する。本実施形態の開閉体７は、シャッターカーテンであり、複数の金属製のスラット７ａが開閉方向に連接されて構成されている。本実施形態では、開閉体７は、上下方向に移動することで開口部２２を閉鎖あるいは開放する。
【００４０】
本明細書では、特に記載しない場合、「幅方向」は開口部２２の幅方向を示すものとする。また、幅方向と直交する方向であって、開口部２２の屋外側から屋内側へ、あるいは屋内側から屋外側へ向かう方向を「奥行方向」と称する。
【００４１】
図２に戻り、防水シート１０は、シート本体１１、ビード１２、ゴムシート１３、マグネット１４、下端マーク１５、上部隅マーク１６および下部隅マーク１７を含んで構成されている。
【００４２】
シート本体１１は、遮水性を有している。シート本体１１は、可撓性を有しており、好ましくは伸縮可能である。シート本体１１の素材は、例えば、樹脂、ゴム、上面を樹脂などでコーティングした布等とすることができる。本実施形態のシート本体１１は、透光性を有する樹脂製のシートである。
【００４３】
ビード１２は、直線状の棒状部材である。ビード１２は、シート本体１１における幅方向の両端の縁１１ｗに１本ずつ固定されている。ビード１２は、シート本体１１の縁１１ｗを直線状に保持しておくことができる剛性を有している。シート本体１１の縁１１ｗにおいて、ビード１２が設けられる範囲は、一端が縁１１ｗの上端であり、他端が縁１１ｗの下端よりも所定距離だけ上側の位置である。つまり、シート本体１１において、ビード１２の下端よりも下側の部分は、容易に屈曲することができる。
【００４４】
シート本体１１の表面１１ａには、下端マーク１５が設けられている。下端マーク１５は、シート本体１１における上下方向の中央よりも下側の辺１１ｄ側に配置されている。下端マーク１５は、幅方向に沿って等間隔で複数設けられている。下端マーク１５は、１つの頂点を下に向けた三角形状であり、下向きの頂点の位置は、ビード１２の下端の位置に対応している。マグネット１４は、シート本体１１の上側の辺１１ｃに配置されている。マグネット１４は、幅方向に沿って等間隔で複数設けられている。
【００４５】
ゴムシート１３は、シート本体１１における表面１１ａと反対側の面、即ち裏面に設けられている。ゴムシート１３は、弾性変形する部材であり、その形状は板状あるいはシート状である。ゴムシート１３は、シート本体１１の両端部に１枚ずつ配置されている。ゴムシート１３は、シート本体１１の下端から上端の近傍まで設けられている。ゴムシート１３は、可撓性を有しており、シート本体１１と共に変形することが可能である。防水シート１０は、シート本体１１の表面１１ａを屋外側に向け、裏面を開閉体７に向けて構造物２０に設置される。
【００４６】
図１に示すように、本実施形態に係る押圧部材４は、平板状の部材であり、例えば、ステンレススチール等の金属材料で構成されている。防水装置１−１は、複数の押圧部材４を含んで構成されている。全ての押圧部材４をつなぎ合わせたときの全長は、防水シート１０を設置可能な最大幅の開口部２２の幅よりも大きい。
【００４７】
（Ｂ．補強手順）
本実施形態の防水装置の設置方法は、補強手順を含んで構成されている。図３から図５を参照して説明するように、補強手順は、水圧に抗して開閉体７を支持する補強部材３を開閉体７に対して屋内側、言い換えれば、設置する防水シート１０とは反対側に設置する手順である。補強手順は、塞ぎねじ取り外し手順と、補強部材固定手順と、補強部材セット手順とを含んで構成されている。本実施形態では、補強手順は、確認する手順の後で実行される。
【００４８】
（Ｂ−１．塞ぎねじ取り外し手順）
防水装置１−１を設置する場合、図３に示すように、構造物２０の床面２１から塞ぎねじ５が取り外される。塞ぎねじ５は、床面２１に埋め込まれた雌ねじ部材６にねじ込まれて雌ねじ部材６の開口を閉塞するねじである。雌ねじ部材６は、床面２１における開閉体７が接地する接地領域２１ａよりも屋内側で、かつ接地領域２１ａの近傍に埋め込まれている。本実施形態では、開口部２２の幅方向と直交する方向に沿って２つの雌ねじ部材６が配置されている。ユーザーは、雌ねじ部材６を塞いでいる２本の塞ぎねじ５をドライバー等の工具を用いて取り外す。
【００４９】
（Ｂ−２．補強部材固定手順）
補強部材固定手順は、塞ぎねじ取り外し手順の後で実行される。図４に示すように、ユーザーは、取付ボルト２と雌ねじ部材６とを用いて補強部材３を床面２１に固定する。補強部材３は、第一構成部材３ａと、第二構成部材３ｂと、第三構成部材３ｃとを含んで構成されている。各構成部材３ａ，３ｂ，３ｃは、断面形状が矩形の１辺を欠いた形状である。第一構成部材３ａと第二構成部材３ｂとは、回転軸３ｄを介して相対回転可能に接続されている。同様に、第二構成部材３ｂと第三構成部材３ｃとは、回転軸３ｅを介して相対回転可能に接続されている。
【００５０】
第一構成部材３ａにおける第二構成部材３ｂ側とは反対側の端部には、ピン３ｆが配置されている。第三構成部材３ｃにおける第二構成部材３ｂ側とは反対側の端部には、ピン３ｆと係合する切欠部３ｇがある。切欠部３ｇをピン３ｆに係合させると、図５に示すように補強部材３が三角形状をなす。図４に戻り、第一構成部材３ａには、雌ねじ部材６に対応する貫通孔３ｈがある。貫通孔３ｈは、第一構成部材３ａに２つ設けられている。
【００５１】
ユーザーは、貫通孔３ｈを雌ねじ部材６に位置合わせして床面２１上に第一構成部材３ａを載置する。ユーザーは、取付ボルト２を貫通孔３ｈに挿入して雌ねじ部材６にねじ込むことで、第一構成部材３ａを床面２１に対して固定する。開閉体７の幅方向における補強部材３の設置位置は、例えば、開閉体７の中央部である。
【００５２】
（Ｂ−３．補強部材セット手順）
補強部材セット手順は、補強部材３を三角形状に組み立てて開閉体７を支持可能な状態とする手順である。ユーザーは、図５に示すように、第一構成部材３ａが床面２１に固定された状態で、矢印で示すように切欠部３ｇをピン３ｆに係合させる。本実施形態の補強部材３は、切欠部３ｇがピン３ｆと係合すると、第二構成部材３ｂを底辺とする二等辺三角形を形成する。第三構成部材３ｃは、床面２１に対して垂直となる。
【００５３】
（Ｃ．開口部閉鎖手順）
開口部閉鎖手順は、開閉体７を全閉して開口部２２を閉鎖する手順である。開口部閉鎖手順は、例えば、補強手順の後で実行される。ユーザーは、図６に矢印で示すように、開閉体７を閉方向に移動させて開口部２２を閉鎖する。開閉体７が開口部２２を閉鎖すると、補強部材３の第三構成部材３ｃが開閉体７の屋内側の面と互いに対向する。屋外側からの水圧により開閉体７が撓んだ場合には、第三構成部材３ｃが開閉体７に当接して開閉体７の更なる変形を抑制する。補強部材３は、例えば、開閉体７の座板に当接して開閉体７を支持する。
【００５４】
（Ｄ．シート設置手順）
防水シート１０を構造物２０に対して設置する「シート設置手順」について説明する。シート設置手順は、構造物２０の開口部２２を閉塞し、かつ床面２１と、開口部２２を開閉する開閉体７の屋外側とを一体に覆うように防水シート１０を構造物２０に対して設置する手順である。シート設置手順は、防水シート１０の一端を構造物２０に保持させる手順（以下、単に「一端を保持させる手順」と称する。）と、防水シート１０の他端を構造物２０に保持させる手順（以下、単に「他端を保持させる手順」と称する。）とを含んで構成されている。本実施形態に係るシート設置手順は、以下のように実行される。
【００５５】
（Ｄ−１．シートの一端を保持させる手順）
ユーザーは、図７に示すように、防水シート１０の一端に配置されたビード１２を構造物２０に保持させる。本実施形態では、幅方向の一端側の壁面２３ａにシートガイド８が予め配置されている。図８に示すように、シートガイド８は、開閉体７のガイドレール９に隣接してガイドレール９よりも屋外側に固定されている。シートガイド８は、断面Ｃ字形状の保持部８ａを有する。保持部８ａの内径は、ビード１２の外径よりも大きい。ユーザーは、保持部８ａの中空部に防水シート１０の一端に配置されたビード１２を挿入する。ユーザーは、図７に示すようにビード１２をシートガイド８よりも高い位置まで持ち上げて、保持部８ａの中空部に対して上端からビード１２を挿入する。
【００５６】
シートガイド８は、床面２１から所定の高さまで上下方向に延在している。ユーザーは、ビード１２の下端が床面２１に接するまで保持部８ａにビード１２を押し込む。シートガイド８は、ビード１２を保持し、防水シート１０の端部を直線状に保つ。防水シート１０の一端がシートガイド８によって直線状に保持されることで、ユーザーは容易にその後の設置手順を続行することができる。
【００５７】
（Ｄ−２．仮固定手順）
仮固定手順は、防水シート１０を開閉体７に対して仮固定する手順である。ユーザーは、防水シート１０の一端がシートガイド８によって保持された状態で、図９に示すように防水シート１０を幅方向に沿って広げていく。ユーザーは、防水シート１０を広げながら、上記保持された一端に近いものから順次マグネット１４を開閉体７に吸着させ、防水シート１０を開閉体７に仮固定する。
【００５８】
（Ｄ−３．シートの他端を保持させる手順）
ユーザーは、シートの一端を保持させる手順の後で、シートの他端を保持させる手順を実行する。本実施形態では、シートの一端を保持させる手順とシートの他端を保持させる手順との間に、上記仮固定手順が実行される。シートの他端を保持させる手順では、ユーザーは、図１０に示すように、防水シート１０の他端に配置されたビード１２を構造物２０に保持させる。他端側の壁面２３ｂには、図８に示すシートガイド８と同様のシートガイド８が予め配置されている。ユーザーは、防水シート１０の他端に配置されたビード１２をシートガイド８の中空部に対して上端から挿入する。ユーザーは、他端側のビード１２についても、ビード１２の下端が床面２１に接するまで保持部８ａに押し込む。なお、防水シート１０の両端を先にシートガイド８に保持させて、その後に防水シート１０を開閉体７に対して仮固定するようにしてもよい。言い換えると、シートの一端を保持させる手順およびシートの他端を保持させる手順が実行された後で仮固定手順が実行されてもよい。
【００５９】
ここで、シートの他端を保持させる手順を実行した後に、開口部２２の幅によっては、図１１に示すように防水シート１０にたるんだ余剰部分１０ａが生じる可能性がある。防水シート１０に余剰部分１０ａが生じたままでは、防水シート１０と床面２１との間や、防水シート１０と開閉体７との間に隙間が生じやすく、防水シート１０が十分な止水性を発揮できない可能性がある。本実施形態に係る防水装置の設置方法は、以下に説明する、防水シート１０の余剰部分１０ａを折り重ねた状態で保持する手順（以下、単に「余剰部保持手順」と称する。）を含んで構成されている。なお、以下に説明する余剰部保持手順は、止水性能をより向上させるために有効であるが、使用目的における止水性能を満足できれば、余剰部分１０ａのたるみをある程度、または全部残したままにしておく等、余剰部保持手順の全部または一部が省略されてもよい。
【００６０】
（Ｅ．余剰部保持手順）
余剰部保持手順は、シート設置手順よりも後で、かつ後述する載置手順の前に実行される。余剰部保持手順は、防水シート１０によって開閉体７を覆ったときに生じる防水シート１０の余剰部分１０ａを折り重ねた状態で保持する手順である。余剰部保持手順は、防水シート１０を折ることにより開口部２２の幅に応じて防水シート１０の設置幅や有効幅を調節する手順である。設置幅や有効幅とは、開閉体７を覆うように設置された防水シート１０における開閉体７を直接覆っている部分の幅方向の長さである。防水シート１０において、開口部２２の幅方向の一端に位置する部分１０ｂから他端に位置する部分１０ｃまでの長さが開口部２２の幅Ｗよりも大きいと、余剰部分１０ａが発生する。なお、開口部２２の幅Ｗは、例えば、一対のガイドレール９の内々寸法である。
【００６１】
ユーザーは、直接開閉体７を覆っている部分のシワやたるみを伸ばすように、余剰部分１０ａに向けて防水シート１０を幅方向に引っ張る。その後、図１２に示すように、余剰部分１０ａを２つ折りにして、開閉体７を直接覆っている部分に余剰部分１０ａを重ねる。なお、余剰部分１０ａを２つ折りにする際には、マグネット１４が余剰部分１０ａの先端（山折り部分）の近傍に位置するようにすることが好ましい。このようにすれば、図１３に示すように、余剰部分１０ａの先端をマグネット１４によって開閉体７に吸着させ、余剰部分１０ａが開閉体７から浮き上がることを抑制することができる。
【００６２】
なお、余剰部保持手順で余剰部分１０ａを２つ折りに折るときには、床面２１を覆う部分も開閉体７を覆う部分と一緒に折ることが好ましい。２つ折りにした余剰部分１０ａを、防水シート１０における床面２１を直接覆う部分に重ねることで、床面２１と防水シート１０との間に隙間が生じることを抑制することができる。図１４に示すように、余剰部保持手順が実行されたあとの防水シート１０では、シワやたるみ部分が伸ばされて、適度に張られた状態となる。
【００６３】
余剰部保持手順が実行されることにより、防水シート１０のたるみが処理され、開閉体７と防水シート１０との間に隙間が生じることや、床面２１と防水シート１０との間に隙間が生じることが抑制される。余剰部保持手順が実行された後の防水シート１０は、開閉体７と、床面２１と、壁面２３ａ，２３ｂとを一体に覆っている。従って、余剰部保持手順が実行された後の防水シート１０は、床面２１と開閉体７との隙間をより効果的にシールすること、壁面２３ａ，２３ｂと開閉体７との隙間をシールすることが可能である。
【００６４】
（Ｆ．調整手順）
調整手順は、防水シート１０の位置を調整する手順である。調整手順は、シート設置手順よりも後に実行される。本実施形態では、余剰部保持手順の後で調整手順が実行される。ユーザーは、図１５に示す隅部Ｒ１、下部領域Ｒ２、上部領域Ｒ３のそれぞれについて防水シート１０の調整作業を行う。隅部Ｒ１は、開閉体７と壁面２３とによって形成される隅部である。図１６に示すように、隅部Ｒ１において防水シート１０が開閉体７や壁面２３から浮き上がっていると、防水シート１０が十分な止水性能を発揮できない可能性がある。ユーザーは、隅部Ｒ１を覆う防水シート１０を開閉体７や壁面２３に密着させるように、防水シート１０の位置を調整する。具体的には、マグネット１４を開閉体７に吸着させる位置を幅方向にずらして、図１７に示すように、隅部Ｒ１における防水シート１０と開閉体７との隙間や防水シート１０と壁面２３との隙間を小さくする。
【００６５】
防水シート１０には、上部隅マーク１６および下部隅マーク１７が設けられている。上部隅マーク１６および下部隅マーク１７は、防水シート１０の位置合わせをする際の目安として設けられている。ユーザーは、上部隅マーク１６および下部隅マーク１７の頂点を開閉体７と壁面２３とが交差するラインに位置合わせすれば、隅部Ｒ１において防水シート１０を開閉体７や壁面２３に沿わせることができる。
【００６６】
下部領域Ｒ２は、開閉体７と床面２１とによって形成される隅部である。図１８に示すように、下部領域Ｒ２において防水シート１０が開閉体７や床面２１から浮き上がっていると、防水シート１０が十分な止水性能を発揮できない可能性がある。ユーザーは、下部領域Ｒ２を覆う防水シート１０を開閉体７や床面２１に密着させるように、防水シート１０の位置を調整する。具体的には、ユーザーは、防水シート１０を開閉体７に押し付けるようにして、図１９に示すように、下部領域Ｒ２における防水シート１０と開閉体７との隙間を小さくする。その後、ユーザーは、防水シート１０の下端側の裾、すなわち床面２１を覆う部分を広げて、床面２１を覆う部分に撓み等が残らないようにする。
【００６７】
上部領域Ｒ３は、開閉体７における防水シート１０の上端部によって覆われる領域である。ユーザーは、図２０および図２１に示すように、下端マーク１５の頂点の位置を床面２１の高さ位置に合わせるように防水シート１０の位置を調整する。ユーザーは、マグネット１４の高さ位置を上下方向にずらすことにより、防水シート１０および下端マーク１５の上下方向の位置を調整する。なお、下部領域Ｒ２における防水シート１０の位置調整と、上部領域Ｒ３における防水シート１０の位置調整とが交互に実行されてもよい。なお、調整手順は、止水性能をより向上させるために有効であるが、使用目的における止水性能を満足できれば、開閉体７や床面２１からの浮き上がりをある程度、または全部残したままにしておく等、調整手順の全部または一部が省略されてもよい。
【００６８】
（Ｇ．端部折り畳み手順）
本実施形態の防水装置の設置方法は、端部折り畳み手順を含む。端部折り畳み手順は、例えば、調整手順の実行後に行われる。端部折り畳み手順は、防水シート１０における床面２１を覆う部分の端部を折り畳む手順である。図２２に示すように、本実施形態では、ゴムシート１３が床面２１と直接対向するように、防水シート１０における床面２１を覆う部分（以下、「裾部」と称する。）１０ｄの端部が折り畳まれる。図２３には、防水シート１０の下端側の角部が示されている。ユーザーは、谷折り線ＢＬ１，ＢＬ２に沿って防水シート１０を谷折りし、山折り線ＢＬ３に沿って防水シート１０を山折りすることにより、図２２に示すように裾部１０ｄの端部を折り畳む。
【００６９】
谷折り線ＢＬ１は、図２２に示すように、壁面２３と開閉体７とが交差する隅に合わせて防水シート１０を谷折りする線である。谷折り線ＢＬ２は、壁面２３と床面２１とが交差する隅や開閉体７と床面２１とが交差する隅に合わせて防水シート１０を谷折りする線である。山折り線ＢＬ３は、ゴムシート１３を折り畳み部分の最も下側に位置させてゴムシート１３を床面２１と直接対向させるように防水シート１０を山折りする線である。ゴムシート１３を床面２１と直接対向させることにより、防水シート１０による止水性能を向上させることができる。なお、上述したように、防水シート１０がゴムシート１３を備えている場合、ゴムシート１３を折り畳み部分の最も下側に位置させるように折るのが止水性能上好ましいが、使用目的における止水性能を満足できれば、上述の折り方とは逆の谷折りや山折りとしてもよい。防水シート１０がゴムシート１３を備えていない場合や、隅部の構造によるなど、防水シート１０や環境条件等に応じてどちらの折り方を採用するかについては任意である。
【００７０】
（Ｈ．載置手順）
載置手順は、防水シート１０における床面２１を覆う部分に複数の押圧部材４を載置する手順である。載置手順は、シート設置手順の後で実行される。本実施形態では、シート設置手順と載置手順との間に端部折り畳み手順が実行される。ユーザーは、載置手順において、以下に説明するように、床面２１を覆う防水シート１０の上に押圧部材４を載せる。これにより、水が防水シート１０と床面２１との間に浸入することが抑制される。また、水が防水シート１０と床面２１との間に浸入したとしても、防水シート１０が床面２１から浮き上がることが抑制される。また、水の流れの勢いによって防水シート１０の位置がずれてしまうことが抑制される。よって、本実施形態に係る防水装置の設置方法によれば、防水シート１０による止水効果を高めることができる。また、床面２１上に折り重ねられた余剰部分１０ａに押圧部材４が載置されることで、余剰部分１０ａの浮き上がり等が抑制され、防水シート１０の止水効果が高められる。
【００７１】
載置手順では、ユーザーは、以下に説明するように、複数の押圧部材４を開口部２２の幅方向に沿って連続的に載置することが好ましい。押圧部材４が幅方向に沿って連続的に載置されることにより、防水シート１０と床面２１との間への水の浸入を抑制する効果、防水シート１０の床面２１からの浮き上がりを抑制する効果、防水シート１０のずれを抑制する効果の少なくとも１つの効果を高めることが可能である。
【００７２】
載置手順の具体例について説明する。本実施形態では、載置手順において、開口部２２を挟んで開口部２２の幅方向において互いに対向する一対の壁面２３ａ，２３ｂの間に複数の押圧部材４が載置される。この場合、ユーザーは、載置手順において、第一の列を形成する手順と、第二の列を形成する手順と、隙間を塞ぐ手順とを実行することが好ましい。
【００７３】
（Ｈ−１．第一の列を形成する手順）
図２４から図２７を参照して説明するように、第一の列を形成する手順は、開口部２２の幅方向に沿って一対の壁面２３ａ，２３ｂの一方の壁面２３から他方の壁面２３に向かう押圧部材４の第一の列４１を形成する手順である。本実施形態では、壁面２３ａから壁面２３ｂに向けて第一の列４１を形成する場合を例に説明する。ユーザーは、図２４に示すように、１つの押圧部材４を裾部１０ｄにおける開口部２２の幅方向の端部に載置する。押圧部材４は、長手方向が開口部２２の幅方向と一致するように載置されることが好ましい。押圧部材４は、図２５に示すように、長手方向の一端によって防水シート１０を壁面２３ａに向けて押し付けるように載置されることが好ましい。
【００７４】
また、図２６に示すように、押圧部材４は、防水シート１０における床面２１側の面に設けられたゴムシート１３を床面２１に向けて押圧する位置に載置されることが好ましい。押圧部材４は、ゴムシート１３と重なる面積を可能な限り大きくするように載置されることが好ましい。本実施形態では、ゴムシート１３の幅は、押圧部材４の幅よりも大きい。この場合、押圧部材４は、図２６に示すように、ゴムシート１３から奥行方向にはみ出さないように載置されることが好ましい。
【００７５】
ユーザーは、図２７に示すように、壁面２３ａから壁面２３ｂに向けて、直線状に押圧部材４を並べていく。このときに、ユーザーは、互いに隣接する押圧部材４の端部同士の隙間を可能な限り小さくするように押圧部材４を載置することが好ましい。例えば、互いに隣接する押圧部材４の端部同士が当接するように押圧部材４が載置されることが好ましい。押圧部材４が直線状に載置されることで、裾部１０ｄの上に第一の列４１が形成される。図２７では、２つの押圧部材４によって第一の列４１が形成されるが、これには限定されない。第一の列４１は、例えば、１つの押圧部材４によって形成されても、３つ以上の押圧部材４によって形成されてもよい。
【００７６】
ユーザーは、第一の列４１の先端４１ａと壁面２３ｂとの間の開口部２２の幅方向の距離に応じて、適当な位置まで第一の列４１を形成する。例えば、第一の列４１の先端４１ａと壁面２３ｂとの間に少なくとも１つの押圧部材４を載置可能なスペースを残して第一の列を形成する手順を終えることが好ましい。
【００７７】
（Ｈ−２．第二の列を形成する手順）
図２８を参照して説明するように、第二の列を形成する手順は、開口部２２の幅方向に沿って他方の壁面２３から第一の列４１に向かう押圧部材４の第二の列４２を形成する手順である。第二の列を形成する手順は、例えば、第一の列を形成する手順の後で実行される。ユーザーは、図２８に示すように、開口部２２の幅方向における壁面２３ｂ側の端部に押圧部材４を載置する。押圧部材４は、長手方向の一端によって防水シート１０を壁面２３ｂに向けて押し付けるように載置されることが好ましい。また、押圧部材４は、ゴムシート１３を床面２１に向けて押圧する位置に載置されることが好ましい。第二の列４２は、第一の列４１の長手方向の延長線上に形成されることが好ましい。
【００７８】
本実施形態では、１つの押圧部材４によって第二の列４２が形成されるが、第二の列４２を構成する押圧部材４の数は、これには限定されない。第二の列を形成する手順では、第二の列４２の先端４２ａと第一の列４１の先端４１ａとの間に押圧部材４を載置するスペースがなくなるまで、押圧部材４を並べて第二の列４２が形成される。言い換えると、先端４１ａと先端４２ａとの距離（先端４１ａと先端４２ａとの隙間の開口部２２の幅方向の長さ）Ｌ１が、１つの押圧部材４の長さよりも大きい間は、押圧部材４が第二の列４２の先端４２ａに継ぎ足される。
【００７９】
先端４１ａと先端４２ａとの距離Ｌ１が、１つの押圧部材４の長さよりも小さくなると、第二の列を形成する手順が終了する。
【００８０】
（Ｈ−３．隙間を塞ぐ手順）
隙間を塞ぐ手順は、第一の列４１および第二の列４２と平行に押圧部材４を載置して第一の列４１の先端４１ａと第二の列４２の先端４２ａとの隙間を塞ぐ手順である。ユーザーは、図２９に示すように、先端４１ａと先端４２ａとの隙間を塞ぐ押圧部材（以下、「閉塞用押圧部材」と称する。）４３を載置する。閉塞用押圧部材４３は、長手方向が第一の列４１の長手方向および第二の列４２の長手方向と平行となるように、裾部１０ｄの上に載置される。閉塞用押圧部材４３は、奥行方向に見た場合に、第一の列４１および第二の列４２とそれぞれ重なり、先端４１ａと先端４２ａとの隙間を塞ぐように載置される。閉塞用押圧部材４３は、長手方向の一辺が第一の列４１および第二の列４２とそれぞれ接するように載置されることが好ましい。閉塞用押圧部材４３が載置されることにより、床面２１と防水シート１０とに隙間が生じることが抑制される。
【００８１】
ここで、図３０を参照して押圧部材４を載置する場合の好ましい方法について説明する。図３０の左側の列（ａ列）に示した載置方法は、右側の列（ｂ列）に示した載置方法に対してより好ましい。例えば、（１）では、ｂ列に示すように互いに隣接する押圧部材４の端部同士が離れているよりも、ａ列に示すように互いに隣接する押圧部材４の端部同士が当接していることが好ましい。また、（２）では、ｂ列に示すように第一の列４１の側辺４１ｂと閉塞用押圧部材４３の側辺４３ｂとが離れているよりも、ａ列に示すように側辺４１ｂと側辺４３ｂとが当接していることが好ましい。これは、第二の列４２と閉塞用押圧部材４３との配置でも同様である。また、（３）では、ｂ列に示すように互いに隣接する押圧部材４同士が離れているよりも、ａ列に示すように互いに隣接する押圧部材４同士が少なくとも１箇所において接していることが好ましい。
【００８２】
本実施形態の載置手順では、開口部２２に対して幅方向の一端から他端まで押圧部材４が載置される。これにより、裾部１０ｄの各所が押圧部材４によって床面２１に向けて押圧された状態となる。よって、床面２１から裾部１０ｄが浮き上がることが抑制され、床面２１と裾部１０ｄとの隙間が低減される。また、水流等によって裾部１０ｄがずれてしまうことによる止水性能の低下が抑制される。
【００８３】
また、本実施形態の載置手順では、複数の押圧部材４が開口部２２の幅方向に沿って連続的に載置される。よって、床面２１から裾部１０ｄが浮き上がることが抑制され、床面２１と裾部１０ｄとの隙間が低減される。また、水流等によって裾部１０ｄがずれてしまうことによる止水性能の低下が抑制される。載置手順では、幅方向に切れ目なく押圧部材４が載置されることが好ましい。このようにすれば、開口部２２を介した屋内側への水の浸入をより確実に抑制することが可能となる。
【００８４】
［第１実施形態の第１変形例］
第１実施形態の第１変形例について説明する。端部折り畳み手順における折り畳み方は、上記第１実施形態で例示したものには限定されない。例えば、以下に図３１および図３２を参照して説明するようにして裾部１０ｄの端部が折り畳まれてもよい。図３１は、第１実施形態の第１変形例に係る端部折り畳み手順の説明図、図３２は、第１実施形態の第１変形例に係る端部折り畳み手順を説明する他の図である。図３１に示す折り畳み方では、裾部１０ｄの端部が、裾部１０ｄの残余の部分の上に折り畳まれる点で上記第１実施形態と異なる。図３２に示す折り畳み方では、裾部１０ｄの端部が三角形状に折られて、当該三角形状の部分が壁面２３側に折り返される。なお、上述したように、防水シート１０がゴムシート１３を備えている場合、ゴムシート１３を折り畳み部分の最も下側に位置させるように折るのが止水性能上好ましいが、使用目的における止水性能を満足できれば、上述の折り方とは逆の谷折りや山折りとしてもよい。例えば、本変形例に示す折り方が採用されてもよい。防水シート１０がゴムシート１３を備えていない場合や、隅部の構造によるなど、防水シート１０や環境条件等に応じてどちらの折り方を採用するかについては任意である。
【００８５】
［第１実施形態の第２変形例］
上記第１実施形態の隙間を塞ぐ手順（図２９参照）では、第一の列４１および第二の列４２に対して屋外側に閉塞用押圧部材４３が載置されたが、これに代えて第一の列４１および第二の列４２に対して屋内側に閉塞用押圧部材４３が載置されてもよい。また、第一の列４１および第二の列４２に対して、屋内側および屋外側の両方に閉塞用押圧部材４３が載置されてもよい。
【００８６】
［第２実施形態］
図３３から図３６を参照して、第２実施形態について説明する。第２実施形態については、上記第１実施形態で説明したものと同様の機能を有する構成要素には同一の符号を付して重複する説明は省略する。図３３は、第２実施形態の載置手順の説明図、図３４は、第２実施形態の載置手順の説明図の要部拡大図、図３５は、第２実施形態の載置手順を説明する他の図、図３６は、第２実施形態の載置手順の終了後を示す図である。
【００８７】
図３３に示すように、第２実施形態では、開口部２２に隣接する壁面２５ａ，２５ｂが開閉体７と平行である構造物５０に対して、防水装置１−１が設置される。なお、本実施形態では、壁面２５ａ，２５ｂを区別せずに単に「壁面２５」と称する場合がある。壁面２５は、開閉体７を案内するガイドレール１９を支持している。壁面２５ａ，２５ｂにはそれぞれシートガイド８が固定されている。シートガイド８は、ガイドレール１９よりも幅方向の外側、すなわちガイドレール１９に対して開閉体７側と反対側に配置されている。
【００８８】
第２実施形態の防水装置の設置方法において、確認する手順、補強手順、開口部閉鎖手順、シート設置手順、余剰部保持手順は、上記第１実施形態と同様に実行されることが可能である。
【００８９】
（調整手順）
第２実施形態の調整手順では、構造物５０の形状に応じて、開閉体７、床面２１、ガイドレール１９等に防水シート１０を密着させるように、防水シート１０の位置を適宜調整するようにすればよい。例えば、ガイドレール１９と開閉体７とによって隅部が形成されている場合がある。この場合には、ユーザーは、防水シート１０を開閉体７の幅方向にずらしながら、当該隅部における防水シート１０と開閉体７およびガイドレール１９との隙間を小さくするように調整すればよい。その他の調整については、上記第１実施形態の調整手順と同様とすることができる。
【００９０】
（端部折り畳み手順）
第２実施形態において設置対象とする構造物５０に対しては、防水装置の設置方法において端部折り畳み手順が省略されてもよい。
【００９１】
（載置手順）
第２実施形態の載置手順について説明する。本実施形態で対象とする構造物５０の場合、上記第１実施形態の構造物２０と異なり、押圧部材４を載置する幅方向の範囲を規制する壁面２３が存在しない。このため、押圧部材４を一直線上に連続的に載置することが可能である。押圧部材４の好ましい載置手順の一例を説明する。
【００９２】
ユーザーは、図３３に示すように、幅方向の一端側から押圧部材４の載置を開始する。図３３から図３６には、図中左側から右側に向けて押圧部材４を並べていく場合が示されている。図３３および図３４に示すように、幅方向の端部に載置される押圧部材４は、防水シート１０の裾部１０ｄから床面２１上にはみ出すように載置されることが好ましい。言い換えると、押圧部材４を防水シート１０における開口部２２の幅方向の端部から床面２１の上に突出させて載置するように載置することが好ましい。このようにすれば、押圧部材４によって、裾部１０ｄの幅方向の端部が浮き上がることを抑制し、防水シート１０の止水性能を向上させることができる。なお、裾部１０ｄの幅方向の端部を床面２１に押圧することができていれば、押圧部材４が床面２１上にはみ出ていなくても止水性能の向上が期待できる。
【００９３】
押圧部材４を載置する位置は、複数の押圧部材４を幅方向に直線状に並べて載置することができ、かつ開閉体７に近い位置であることが好ましい。例えば、図３３および図３４に示すように、ガイドレール１９に近づけて、あるいはガイドレール１９に向けて防水シート１０を押し付けるようにして押圧部材４を置くようにすれば、防水シート１０による止水性能の向上を期待することができる。また、押圧部材４は、ゴムシート１３を床面２１に向けて押圧する位置に載置されることが好ましい。
【００９４】
ユーザーは、図３５に示すように、幅方向の一方から他方に向けて、押圧部材４を順番に連続的に載置していく。押圧部材４は、互いに隣接する押圧部材４の端部同士を当接させるように載置されることが好ましい。本実施形態では、複数の押圧部材４が、開口部２２に対して少なくとも幅方向の一端から他端まで載置される。図３６に示すように裾部１０ｄの幅方向の一端から他端まで押圧部材４が載置されると、載置手順は終了する。図３６に示すように、両端部の押圧部材４がそれぞれ裾部１０ｄから床面２１上にはみ出していることが好ましい。つまり、第２実施形態の載置手順では、幅方向の端部に配置される押圧部材４の少なくとも一部が、開口部２２の端部よりも幅方向に突出していることが好ましい。
【００９５】
［第３実施形態］
図３７を参照して、第３実施形態について説明する。第３実施形態については、上記各実施形態で説明したものと同様の機能を有する構成要素には同一の符号を付して重複する説明は省略する。上記第１実施形態の防水装置の設置方法および上記第２実施形態の防水装置の設置方法は、更に、補強部材３を床面２１に対して固定するための部材を予め床面２１側に設置する手順を含んで構成されてもよい。ここでは、雌ねじ部材６を設置する手順について説明する。図３７は、第３実施形態の雌ねじ部材を設置する手順の説明図である。
【００９６】
（Ｉ．雌ねじ部材を設置する手順）
雌ねじ部材６を設置する手順は、防水装置１−１が導入される際などに実行されるものであり、防水装置１−１を設置するときに備えて、予め実行される手順である。補強部材３を固定するための構成を予め床面２１側に設けておかない場合、以下のような課題が発生する可能性がある。
（１）防水装置１−１を設置する際に、ユーザーが補強部材３の設置箇所を適切に決定することが困難である。
（２）ユーザーが補強部材３を床面２１に対して固定するときの工数が多くなり、設置に多くの時間を要する。
（３）補強部材３を床面２１に対して固定する固定強度が不足し、水圧に抗して適切に開閉体７を支持できない可能性がある。
【００９７】
これに対して、補強部材３を固定するための構成を予め床面２１側に設けておくことにより、ユーザーは補強部材３の設置箇所を容易に知ることができる。また、ユーザーは、少ない工数で補強部材３を設置することができる。また、必要な強度を確保できる構成を予め床面２１側に設けておくことにより、補強部材３が水圧に抗して適切に開閉体７を支持することが可能となる。
【００９８】
図３７を参照して説明すると、雌ねじ部材６を設置する手順は、例えば、床面２１に設置用の凹部２６を形成する手順と、当該凹部２６に雌ねじ部材６を固定する手順とを含んで構成される。
【００９９】
（Ｉ−１．凹部を形成する手順）
凹部を形成する手順では、床面２１に凹部２６が形成される。形成される凹部２６の内径は、雌ねじ部材６の外径よりも大きい。凹部２６は、例えば、穿孔により形成される。凹部２６の配置は、開閉体７を全閉したときの開閉体７の位置に応じて定められる。例えば、水圧が作用したときの開閉体７のたわみ量をシミュレーション等によって求め、所定の大きさの水圧が作用したときに開閉体７が補強部材３に当接するように、雌ねじ部材６および凹部２６の位置が定められる。
【０１００】
凹部２６を形成する位置や補強部材３を設置する位置については、開閉体７が閉鎖してくる際に閉鎖時に補強部材３が開閉体７と干渉しない位置になるようにする。ただし、開閉体７が例えば上方から下方に閉鎖してくる際に、補強部材３が開閉体７の厚み方向への突出部（例えば、シャッターカーテンの下端部である座板）と干渉すると、補強部材３の干渉した部位が開閉体７から退避し、開閉体７の突出部が通過した際に元の状態に復帰するように構成されてもよい。干渉する部位が退避し、復帰する構成の一例は、バネ部材により常に元の状態になるように干渉する部位を付勢するとともに、干渉の際には開閉体７の干渉部位の押圧力によりバネ部材の付勢力に抗して補強部材３の干渉する部位が開閉体７から退避するものである。なお、この構成において、上方からの押圧力では退避するが、横方からの押圧力では退避しないようにする等、水圧に抗して開閉体７を支持する際には補強部材３が退避してしまうのを避ける構成とする。
【０１０１】
（Ｉ−２．雌ねじ部材を固定する手順）
雌ねじ部材６を固定する手順では、形成された凹部２６に雌ねじ部材６が固定される。固定方法としては、例えば、コンクリート、モルタル、接着剤等の充填材２７を雌ねじ部材６の周囲に充填する方法が挙げられる。
【０１０２】
予め雌ねじ部材６が設けられ、床面２１側に固定されていることで、ユーザーは、防水装置１−１を設置する際に、容易にかつ強固に補強部材３を床面２１に対して固定することが可能となる。また、補強部材３を固定するための手順が少ないため、素早く防水装置１−１を設置することが可能となる。
【０１０３】
［上記各実施形態の第１変形例］
上記第１実施形態から第３実施形態の第１変形例について説明する。上記第１実施形態から第３実施形態の防水装置の設置方法において、手順を適宜省略したり、手順が実行される順序を上記各実施形態で例示したものに対して適宜入れ替えたりすることが可能である。
【０１０４】
例えば、上記各実施形態において、余剰部保持手順は、省略できる場合がある。シート設置手順で防水シート１０によって開閉体７を覆ったときに、防水シート１０に余剰部分１０ａが生じない場合、余剰部保持手順は省略されてもよい。
【０１０５】
上記各実施形態の補強部材固定手順では、取付ボルト２と雌ねじ部材６とによって補強部材３が床面２１に固定されたが、他の部材や方法によって補強部材３が固定されてもよい。
【０１０６】
上記各実施形態において、補強手順は、任意のタイミングで実行可能である。補強手順は、例えば、押圧部材４を載置する載置手順の実行後に行われてもよい。つまり、ユーザーは、開閉体７よりも屋外側で行う手順を先に実行しておいてから、屋内側に移動して補強手順を実行することも可能である。
【０１０７】
［上記各実施形態の第２変形例］
上記各実施形態の防水装置の設置方法において、余剰部保持手順を実行する場合に、防水シート１０に予め設けられたつまみ部を持って余剰部分１０ａを折り重ねるようにしてもよい。図３８は、つまみ部を有する防水シートを示す図である。つまみ部１０ｅは、シート本体１１の一部を折り曲げて形成されている。つまみ部１０ｅは、シート本体１１を略Ｕ字形状に折り、Ｕ字の先端部１０ｆ同士を溶着して構成されている。つまみ部１０ｅの幅は、ユーザーがつまみ部１０ｅを持ちやすいように、例えば数ｃｍとすることが好ましい。余剰部保持手順において、ユーザーは、つまみ部１０ｅを持ち、つまみ部１０ｅを頂点として余剰部分１０ａを形成させる。ユーザーは、つまみ部１０ｅを持ちながら、つまみ部１０ｅが設けられた部分を山折りとして、余剰部分１０ａを折り重ねる。
【０１０８】
ユーザーは、予め防水シート１０に設けられているつまみ部１０ｅを持って作業を行うことができ、作業の利便性が向上する。また、つまみ部１０ｅはシート本体１１を折って形成されているため、つまみ部１０ｅを頂点としてシート本体１１を容易に２つ折りに折ることができる。
【０１０９】
［上記各実施形態の第３変形例］
上記各実施形態の載置手順において、所定の場所には複数の押圧部材４を平行に載置するようにしてもよい。ユーザーは、例えば、余剰部分１０ａに押圧部材４を載置する場合、開閉体７の幅方向と平行に、複数の押圧部材４を並列させて載置するようにしてもよい。また、裾部１０ｄにおける開閉体７の幅方向の端部では、複数の押圧部材４を並列させて載置するようにしてもよい。
【０１１０】
［上記各実施形態の第４変形例］
上記各実施形態の防水装置の設置方法は、更に、ゴム等の弾性変形可能なシート（以下、「中間シート」と称する。）を床面２１上に敷く手順を含んで構成されてもよい。中間シートは、床面２１と防水シート１０との間に介在して、防水シート１０による止水性能を高めることができる。床面２１がタイル目地などの凹凸を有するものである場合などに、中間シートは好適である。
【０１１１】
上記の敷く手順は、シート設置手順の前に実行されることが好ましい。敷く手順では、ユーザーによって、床面２１のうち、防水シート１０によって覆われる領域に予め中間シートが敷かれる。シート設置手順では、中間シートと開閉体７とを一体に覆うように、防水シート１０が設置される。なお、中間シートは、開閉体７と床面２１との間に介在するように敷かれてもよい。このようにすれば、中間シートによって開閉体７と床面２１との隙間を埋めて、屋内側への水の浸入を抑制することができる。
【０１１２】
［上記各実施形態の第５変形例］
上記各実施形態では、開閉体７がシャッターカーテンであったが、これには限定されな。開閉体７は、例えば、スイング式の開き戸や、自動ドア等のスライド式の引き戸、グリル式のシャッター等であってもよい。また、開閉体７は、スラットやパイプ以外に、パネルやシート状物、ネット状物を開閉方向へ単数もしくは複数連接してなる態様、あるいはスラット、パネル、パイプ、シート状物、ネット状物等を適宜に組み合わせてなる態様のものであってもよい。
【０１１３】
また、防水シート１０を開閉体７に対して保持する手段は、マグネット１４には限定されない。マグネット１４に代えて、粘着式のテープや面ファスナー、吸盤等によって防水シート１０が開閉体７に対して固定されてもよい。
【０１１４】
上記の各実施形態および変形例に開示された内容は、適宜組み合わせて実行することができる。
【符号の説明】
【０１１５】
１−１  防水装置
３  補強部材
４  押圧部材
７  開閉体
８  シートガイド
１０  防水シート
１０ａ  余剰部分
１０ｄ  裾部
１０ｅ  つまみ部
１１  シート本体
１２  ビード
１３  ゴムシート
１４  マグネット
２０，５０  構造物
２１  床面
２２  開口部
２３  壁面
２４  天井面
２５  壁面
２６  凹部
４１  第一の列
４２  第二の列
４３  閉塞用押圧部材
【図１】
2015034448.tif 000003
【図２】
2015034448.tif 000004
【図３】
2015034448.tif 000005
【図４】
2015034448.tif 000006
【図５】
2015034448.tif 000007
【図６】
2015034448.tif 000008
【図７】
2015034448.tif 000009
【図８】
2015034448.tif 000010
【図９】
2015034448.tif 000011
【図１０】
2015034448.tif 000012
【図１１】
2015034448.tif 000013
【図１２】
2015034448.tif 000014
【図１３】
2015034448.tif 000015
【図１４】
2015034448.tif 000016
【図１５】
2015034448.tif 000017
【図１６】
2015034448.tif 000018
【図１７】
2015034448.tif 000019
【図１８】
2015034448.tif 000020
【図１９】
2015034448.tif 000021
【図２０】
2015034448.tif 000022
【図２１】
2015034448.tif 000023
【図２２】
2015034448.tif 000024
【図２３】
2015034448.tif 000025
【図２４】
2015034448.tif 000026
【図２５】
2015034448.tif 000027
【図２６】
2015034448.tif 000028
【図２７】
2015034448.tif 000029
【図２８】
2015034448.tif 000030
【図２９】
2015034448.tif 000031
【図３０】
2015034448.tif 000032
【図３１】
2015034448.tif 000033
【図３２】
2015034448.tif 000034
【図３３】
2015034448.tif 000035
【図３４】
2015034448.tif 000036
【図３５】
2015034448.tif 000037
【図３６】
2015034448.tif 000038
【図３７】
2015034448.tif 000039
【図３８】
2015034448.tif 000040